(57)【要約】【課題】診療データに記載された診療内容と、当該診療内容の根拠となる検査結果との対応関係を容易に把握できるようにすること。【解決手段】実施形態に係る医用情報処理装置は、第１の抽出部と、第２の抽出部と、判定部と、表示制御部とを備える。第１の抽出部は、被検体の診療内容が記載された診療データから、前記診療内容を表す第１のデータを抽出する。第２の抽出部は、前記被検体の検査結果が記載された一又は複数の検査データの中から、前記第１のデータに関連する前記検査結果を表した第２のデータを含む検査データを抽出する。判定部は、前記第１のデータに含まれる項目と前記第２のデータに含まれる項目とを比較し、両項目間の対応関係を判定する。表示制御部は、前記診療データと抽出された前記検査データとを同一の画面に表示させ、対応関係が成立すると判定された項目同士を識別可能に表示させる。【選択図】図８
2020173801.tif 000002
【特許請求の範囲】
【請求項１】
被検体の診療内容が記載された診療データから、前記診療内容を表す第１のデータを抽出する第１の抽出部と、
前記被検体の検査結果が記載された一又は複数の検査データの中から、前記第１のデータに関連する前記検査結果を表した第２のデータを含む検査データを抽出する第２の抽出部と、
前記第１の抽出部が抽出した前記第１のデータに含まれる項目と、前記第２の抽出部が抽出した前記検査データの前記第２のデータに含まれる項目とを比較し、両項目間の対応関係を判定する判定部と、
前記診療データと前記第２の抽出部が抽出した前記検査データとを同一の画面に表示させるとともに、前記判定部で対応関係が成立すると判定された項目同士を識別可能に表示させる表示制御部と、
を備える医用情報処理装置。
【請求項２】
前記判定部は、前記第１のデータに含まれる項目と前記第２のデータに含まれる項目との間で、その内容が一致又は類似する場合、当該項目間で対応関係が成立すると判定する請求項１に記載の医用情報処理装置。
【請求項３】
前記判定部は、前記第１のデータに含まれる項目と前記第２のデータに含まれる項目との間に、対応関係の成立しない独立した項目が存在する場合、当該項目の対応関係が不成立と判定し、
前記表示制御部は、前記判定部で対応関係が不成立と判定された項目を識別可能に表示させる請求項１に記載の医用情報処理装置。
【請求項４】
前記判定部は、前記第２のデータに含まれた項目に対応する内容が前記第１のデータに含まれない場合、又は前記第１のデータに含まれた項目に対応する内容が前記第２のデータに含まれない場合、当該項目の対応関係が不成立と判定し、
前記表示制御部は、前記判定部で対応関係が不成立と判定された項目を識別可能に表示させる請求項１に記載の医用情報処理装置。
【請求項５】
前記表示制御部は、前記判定部で対応関係が不成立と判定された項目に関するコメントを入力することが可能なユーザインタフェースを前記画面に表示させる請求項３又は４に記載の医用情報処理装置。
【請求項６】
前記表示制御部は、前記第２の抽出部が抽出した前記検査データ毎に当該検査データの表示を指示するための操作子を前記画面に表示させ、前記操作子に対する操作に応じて当該操作子に対応する前記検査データを前記画面に表示させる請求項１に記載の医用情報処理装置。
【請求項７】
前記表示制御部は、前記第２の抽出部が抽出した前記検査データの中に、前記判定部で対応関係が不成立と判定された項目が含まれる場合、当該検査データに対応する前記操作子に、不成立と判定された項目が存在することを示す情報を付加して表示させる請求項６に記載の医用情報処理装置。
【請求項８】
前記表示制御部は、前記検査データが数値データである場合、前記検査データの検査結果が表す計測値と、前記被検体の容態判別に係る前記計測値の基準範囲とを比較することで判別した前記被検体の容態に応じて、前記検査データの表示形態を切り替える請求項１に記載の医用情報処理装置。
【請求項９】
新たな前記診療データの作成に係る処理を実行するデータ管理部を更に備え、
前記第１の抽出部は、前記データ管理部により前記診療データの作成に係る処理が実行された場合に、当該診療データから前記第１のデータを抽出する請求項１に記載の医用情報処理装置。
【請求項１０】
前記データ管理部は、前記判定部で対応関係が不成立と判定された前記項目の個数を、前記診療データを作成した医療従事者毎に累計する請求項９に記載の医用情報処理装置。
【請求項１１】
被検体の診療内容が記載された診療データから、前記診療内容を表す第１のデータを抽出し、
前記被検体の検査結果が記載された一又は複数の検査データの中から、前記第１のデータに関連する前記検査結果を表した第２のデータを含む検査データを抽出し、
前記第１のデータに含まれる項目と、抽出された前記検査データの前記第２のデータに含まれる項目とを比較し、両項目間の対応関係を判定し、
前記診療データと抽出した前記検査データとを同一の画面に表示させるとともに、対応関係が成立すると判定された項目同士を識別可能に表示させる、
ことを含む医用情報処理方法。
【発明の詳細な説明】
【技術分野】
【０００１】
本発明の実施形態は、医用情報処理装置及び医用情報処理方法に関する。
【背景技術】
【０００２】
従来、医療の現場で用いられている医用データには、生理検査データや画像データ等の検査データ、電子カルテ等の診療データ等の様々な種々が存在している。医師等の医療従事者は、それらの医用データを総合的に見て、被検体（例えば患者）の治療を行っている。例えば、医療従事者は、検査結果が記録された検査データの内容に基づいて、被検体に対して行った診療内容を診療データに記載（記録）している。
【０００３】
また、医療従事者が病名等の診療内容を記録する際に、その診療内容に至った検査結果を登録することで、どの検査結果を根拠としたのかを把握できるようにする方法が知られている。しかしながら、診療内容を記録する度に根拠となる検査結果を登録する操作は煩わしく、利便性に欠ける。また、診療内容の記録時に検査結果の登録を行わなかった場合には、根拠となる検査結果を特定することは困難である。
【先行技術文献】
【特許文献】
【０００４】
【特許文献１】特開２０１２−１５５４５８号公報
【発明の概要】
【発明が解決しようとする課題】
【０００５】
本発明が解決しようとする課題は、診療データに記載された診療内容と、当該診療内容の根拠となる検査結果との対応関係を容易に把握できるようにすることである。
【課題を解決するための手段】
【０００６】
実施形態に係る医用情報処理装置は、第１の抽出部と、第２の抽出部と、判定部と、表示制御部とを備える。第１の抽出部は、被検体の診療内容が記載された診療データから、前記診療内容を表す第１のデータを抽出する。第２の抽出部は、前記被検体の検査結果が記載された一又は複数の検査データの中から、前記第１のデータに関連する前記検査結果を表した第２のデータを含む検査データを抽出する。判定部は、前記第１の抽出部が抽出した前記第１のデータに含まれる項目と、前記第２の抽出部が抽出した前記検査データの前記第２のデータに含まれる項目とを比較し、両項目間の対応関係を判定する。表示制御部は、前記診療データと前記第２の抽出部が抽出した前記検査データとを同一の画面に表示させるとともに、前記判定部で対応関係が成立すると判定された項目同士を識別可能に表示させる。
【図面の簡単な説明】
【０００７】
【図１】図１は、実施形態に係る医用情報システムの構成の一例を示す図である。
【図２】図２は、実施形態に係る医用情報処理装置の構成の一例を示す図である。
【図３】図３は、実施形態の第１の抽出機能及び第２の抽出機能に係るモデルの生成方法を説明するための図である。
【図４】図４は、実施形態に係る検査結果ＤＢのデータ構成の一例を示す図である。
【図５】図５は、実施形態に係る第１の抽出機能及び第２の抽出機能の動作の一例を説明するための図である。
【図６】図６は、実施形態の表示制御機能によって表示される画面の一例を示す図である。
【図７】図７は、実施形態の表示制御機能によって表示される画面の一例を示す図である。
【図８】図８は、実施形態の表示制御機能によって表示される画面の一例を示す図である。
【図９】図９は、実施形態の表示制御機能によって表示される画面の一例を示す図である。
【図１０】図１０は、実施形態の表示制御機能によって表示される画面の一例を示す図である。
【図１１】図１１は、実施形態の表示制御機能によって表示される画面の一例を示す図である。
【図１２】図１２は、実施形態の医用情報処理装置が実行する処理の一例を示すフローチャートである。
【図１３】図１３は、実施形態の変形例３に係る表示制御機能によって表示される画面の一例を示す図である。
【図１４】図１４は、実施形態の変形例３に係る表示制御機能によって表示される画面の一例を示す図である。
【図１５】図１５は、実施形態の変形例３に係る表示制御機能によって表示される画面の一例を示す図である。
【発明を実施するための形態】
【０００８】
以下、図面を参照しながら、医用情報処理装置及び医用情報処理方法の実施形態について説明する。
【０００９】
図１は、本実施形態に係る医用情報システムの構成の一例を示す図である。図１に示すように、医用情報システム１は、医用情報処理装置１００、検体検査システム２００、放射線部門システム３００及び統合データサーバ４００等を有する。医用情報処理装置１００、検体検査システム２００、放射線部門システム３００及び統合データサーバ４００は、ＬＡＮ（Local  Area  Network）等のネットワークＮ１を介して通信可能に接続される。なお、ネットワークＮ１に接続される医用情報処理装置１００の個数は特に問わないものとする。
【００１０】
医用情報処理装置１００は、例えば、医師等の医療従事者や部署毎に用意され、種々の用途に使用される。例えば、医用情報処理装置１００は、患者等の被検体に係る各種医用データの表示に用いられる。また、医用情報処理装置１００は、患者等の被検体に対して行われた診療内容に関する診療データの作成に用いられる。医用情報処理装置１００で作成（生成）された診療データは、統合データサーバ４００に送信される。例えば、医用情報処理装置１００は、ワークステーションやパーソナルコンピュータ、タブレット端末等のコンピュータ機器によって実現される。
【００１１】
検体検査システム２００は、被検体に対して行われた検体検査に関する検体検査データを生成し、検体検査システム２００内の記憶回路に記憶する。そして、検体検査システム２００は、記憶回路に記憶されている検体検査データを統合データサーバ４００に送信する。
【００１２】
放射線部門システム３００は、被検体を撮像することで得られた画像データを、放射線部門システム３００内の記憶回路に記憶する。また、放射線部門システム３００は、被検体に対して実施された生理検査や画像検査に関するレポートデータ、カンファレンスデータを生成し、システム内の記憶回路に記憶する。例えば、放射線部門システム３００は、ＰＡＣＳ（Picture  Archiving  and  Communication  Systems）等を含む。また、画像検査には、Ｘ線ＣＴ（Computed  Tomography）装置によって撮像されたＣＴ画像を用いた検査や、ＭＲＩ（Magnetic  Resonance  Imaging）装置によって撮像されたＭＲ画像を用いた検査、超音波診断装置によって撮像された超音波画像を用いた検査、Ｘ線診断装置によって撮像されたＸ線画像を用いた検査等が含まれる。そして、放射線部門システム３００は、記憶回路に記憶されている画像データ、レポートデータ及びカンファレンスデータを統合データサーバ４００に送信する。
【００１３】
統合データサーバ４００は、プロセッサ等の処理回路、ＲＡＭ（Random  Access  Memory）、フラッシュメモリ等の半導体メモリ素子、ハードディスク、光ディスク等によって実現される記憶回路を備る、ワークステーションやサーバ装置等のコンピュータ機器によって実現される。
【００１４】
統合データサーバ４００は、医用情報処理装置１００、検体検査システム２００及び放射線部門システム３００等から各種のデータを収集し、サーバ内の記憶回路に記憶する。具体的には、統合データサーバ４００の記憶回路は、医用情報処理装置１００、検体検査システム２００及び放射線部門システム３００等から取得した各種のデータを記憶・管理するための統合ＤＢ（Data  Base）４１０を保持する。
【００１５】
例えば、統合ＤＢ４１０には、診療データ、検体検査データ、生理検査データ、画像データ、レポートデータ、カンファレンスデータ等が含まれる。診療データは、医用情報処理装置１００から取得した被検体の診療内容に関する電子カルテ等の診療データである。検体検査データは、検体検査システム２００から取得した検体検査に関する検査データである。また、生理検査データは、放射線部門システム３００から取得したバイタルに関する検査データである。また、画像データ、レポートデータ及びカンファレンスデータは、放射線部門システム３００から取得した画像検査に関する検査データである。以下では、診療データ、検体検査データ、生理検査データ、画像データ、レポートデータ及び診療データを総称して「医用データ」ともいう。
【００１６】
ここで、統合ＤＢ４１０に記憶される診療データには、診療内容等の情報、作成日時を示す情報、被検体を識別する情報（患者ＩＤ）、作成者（医療従事者）を識別する情報（医療従事者ＩＤ）等が含まれる。また、検査データには、作成日時及び患者ＩＤを示す情報の他、検査によって得られた数値（計測値）や画像、読影レポート等の情報、検査日時を示す情報、検査を担当した医療従事者の医療従事者ＩＤ等が含まれる。
【００１７】
なお、統合データサーバ４００は、医用情報処理装置１００、検体検査システム２００及び放射線部門システム３００等の各システムに記憶された医用データを収集するだけでなく、各システムで得られた医用データを直接収集する構成としてもよい。また、統合データサーバ４００は、医用情報処理装置１００、検体検査システム２００及び放射線部門システム３００内や、これらのシステム外に分散して存在する医用データを収集する構成としてもよい。
【００１８】
上述した医用情報システム１の構成において、医用情報処理装置１００は、統合データサーバ４００が管理する医用データを表示することが可能となっている。例えば、医用情報処理装置１００を操作する医用従事者（以下、ユーザともいう）は、診療データの作成や被検体の診断等のため、被検体の検査データや過去に作成された診療データを統合データサーバ４００から取得し表示することができる。以下、医用情報処理装置１００の構成について説明する。
【００１９】
図２は、医用情報処理装置１００の構成の一例を示す図である。図２に示すように。医用情報処理装置１００は、通信インタフェース１１０と、記憶回路１２０と、入力インタフェース１３０と、ディスプレイ１４０と、処理回路１５０とを有する。
【００２０】
通信インタフェース１１０は、処理回路１５０に接続されており、医用情報処理装置１００と各システムとの間で行われる各種データの伝送及び通信を制御する。具体的には、通信インタフェース１１０は、各システムから医用データを受信し、受信した医用データを処理回路１５０に出力する。例えば、通信インタフェース１１０は、ネットワークカードやネットワークアダプタ、ＮＩＣ（Network  Interface  Controller）等によって実現される。
【００２１】
記憶回路１２０は、処理回路１５０に接続されており、各種データを記憶する。具体的には、記憶回路１２０は、各システムから受信した医用データを記憶する。また、記憶回路１２０は、条件設定テーブル等を記憶する。例えば、記憶回路１２０は、ＲＡＭ（Random  Access  Memory）、フラッシュメモリ等の半導体メモリ素子や、ハードディスク、光ディスク等によって実現される。なお、記憶回路１２０は、記憶部の実現手段の一例である。
【００２２】
入力インタフェース１３０は、処理回路１５０に接続されており、操作者から各種指示及び各種情報の入力操作を受け付ける。具体的には、入力インタフェース１３０は、操作者から受け付けた入力操作を電気信号へ変換して処理回路１５０に出力する。例えば、入力インタフェース１３０は、トラックボール、スイッチボタン、マウス、キーボード、操作面へ触れることで入力操作を行うタッチパッド、表示画面とタッチパッドとが一体化されたタッチスクリーン、光学センサを用いた非接触入力回路、及び音声入力回路等によって実現される。なお、入力インタフェース１３０は、マウス、キーボード等の物理的な操作部品を備えるものだけに限られない。例えば、装置とは別体に設けられた外部の入力機器から入力操作に対応する電気信号を受け取り、この電気信号を制御回路へ出力する電気信号の処理回路も入力インタフェース１３０の例に含まれる。
【００２３】
ディスプレイ１４０は、処理回路１５０に接続されており、各種情報及び各種画像を表示する。具体的には、ディスプレイ１４０は、処理回路１５０から送られる各種情報及び各種画像のデータを表示用の電気信号に変換して出力する。例えば、ディスプレイ１４０は、液晶モニタやＣＲＴ（Cathode  Ray  Tube）モニタ、タッチパネル等によって実現される。
【００２４】
処理回路１５０は、入力インタフェース１３０を介して操作者から受け付けた入力操作に応じて、医用情報処理装置１００の構成要素を制御する。具体的には、処理回路１５０は、通信インタフェース１１０から出力される医用データを記憶回路１２０に記憶させる。また、処理回路１５０は、記憶回路１２０から医用データを読み出し、ディスプレイ１４０に表示する。例えば、処理回路１５０は、プロセッサによって実現される。
【００２５】
また、医用情報処理装置１００は、診療データの作成作業や、診療データに記載された診療内容の確認作業等に関し、医療従事者を支援するための機能を有している。具体的には、医用情報処理装置１００は、データ管理機能１５１と、第１の抽出機能１５２と、第２の抽出機能１５３と、判定機能１５４と、表示制御機能１５５とを有する。なお、データ管理機能１５１は、データ生成部の一例である。また、データ管理機能１５１は、データ管理部の一例である。また、第１の抽出機能１５２は、第１の抽出部の一例である。第２の抽出機能１５３は、第２の抽出部の一例である。判定機能１５４は、判定部の一例である。表示制御機能１５５は、表示制御部の一例である。
【００２６】
データ管理機能１５１は、医用データの管理に係る各種の処理を実行する。例えば、データ管理機能１５１は、表示制御機能１５５と協働することで、新たな診療データの作成に係る処理を実行する。具体的には、データ管理機能１５１は、入力インタフェース１３０等を介して診療内容が入力（記載）されると、入力された診療内容を記録した診療データを生成し、記憶回路１２０に記憶させる。また、データ管理機能１５１は、診療データの作成完了が指示されると、記憶回路１２０に記憶した診療データを統合データサーバ４００に送信する。
【００２７】
ここで、診療内容の入力方法は特に問わないものとする。例えば、診療内容は、ＳＯＡＰ形式等の記載方法を用いて入力されてもよい。かかるＳＯＡＰ形式では、被検体の症状毎に、Ｓ（Subject：主観的情報）、Ｏ（Object：客観的情報）、Ａ（Assessment：アセスメント）、P（Plan：計画）に分けて診療内容が入力される。
【００２８】
また、データ管理機能１５１は、医用データや当該医用データに含まれる特定の項目に対しコメント等の入力が行われた場合、その入力された内容を記憶するための処理を実行する。具体的には、データ管理機能１５１は、入力された内容を記録したコメントデータを、入力先となった医用データや項目に対応付けて記憶する。
【００２９】
第１の抽出機能１５２は、被検体の診療内容が記載された診療データから、診療内容を表す第１のデータを抽出する。また、第２の抽出機能１５３は、被検体の検査結果が記録された検査データ（検体検査データ、生理検査データ、画像データ、レポートデータ、カンファレンスデータ）の中から、第１のデータに関連する検査結果を表す第２のデータを含む検査データを抽出する。
【００３０】
ここで、第１の抽出機能１５２及び第２の抽出機能１５３の実現方法は特に問わず、種々の方法を採用することが可能である。本実施形態では、第１の抽出機能１５２及び第２の抽出機能１５３の実現方法として、機械学習モデル等のモデルを用いる方法について説明する。
【００３１】
まず、図３を参照して、第１の抽出機能１５２及び第２の抽出機能１５３に係るモデルの生成方法について説明する。図３は、第１の抽出機能１５２及び第２の抽出機能１５３に係るモデルの生成方法を説明するための図である。
【００３２】
まず、統合データサーバ４００の統合ＤＢ４１０に記憶された複数の被検体の過去の診療データから、第１の抽出機能１５２に係るモデル（以下、第１のモデル）Ｍ１が生成される。具体的には、統合ＤＢ４１０に記憶された診療データの各々を入力とし、その診療データに表された診療内容を表す文字列の関係を単語レベルや文脈レベルで解析（機械学習）することで、当該診療内容を表す第１のデータを出力することが可能な第１のモデルＭ１を生成する。ここで、第１のモデルＭ１から出力される第１のデータは、検査データの検査結果（後述する第２のデータ）と比較可能な形式で生成される。例えば、第１のデータは、第２のデータとの関連性を比較可能な単語群や文字列等の項目で構成される。
【００３３】
なお、診療内容の解析は、例えば、Ｗｏｒｄ２ＶｅｃやＤｏｃ２Ｖｅｃ等の技術を用いることができる。かかる技術を用いた場合、第１のデータは、診療内容を表す文字列を単語レベル又は文脈レベルでベクトル化したベクトルデータとして出力される。また、ＳＯＡＰ形式を認識するルールエンジン等を用いることで、ＳＯＡＰの４つのカテゴリのうち、何れかのカテゴリを解析対象とし、項目毎に第１のモデルＭ１を生成してもよい。図３では、Ｏ及びＡのカテゴリを解析対象として、当該カテゴリ毎に第１のモデルＭ１（第１のモデルＭ１ａ、第１のモデルＭ１ｂ）を生成した例を示している。
【００３４】
また、統合ＤＢ４１０に記憶された複数の被検体の過去の検査データから、第２の抽出機能１５３に係るモデル（以下、第２のモデル）Ｍ２が生成される。具体的には、検査データの各々を入力とし、検査データに表された検査結果を表す文字列の関係を単語レベルや文脈レベルで解析（機械学習）することで、当該検査結果を表す第２のデータを出力することが可能な第２のモデルＭ２を生成する。ここで、第２のモデルＭ２から出力される第２のデータは、診療データの診療結果（第１のデータ）と比較可能な形式で生成される。例えば、第２のデータは、第１のデータとの関連性を比較可能な単語群や文字列等の項目で構成される。
【００３５】
なお、検査結果の解析は、例えば、診療内容の解析と同様、Ｗｏｒｄ２ＶｅｃやＤｏｃ２Ｖｅｃ等の技術を用いることができる。かかる技術を用いた場合、第２のデータは、検査結果を表す文字列を単語レベルや文脈レベルでベクトル化したベクトルデータとして出力される。また、検査データのフォーマットを認識するルールエンジン等を用いることで、特定の検査結果等を解析対象に設定してもよい。
【００３６】
また、第２のモデルＭ２は、種別の異なる検査データから一の第２のモデルＭ２を生成してもよいし、検査データの種別毎に第２のモデルＭ２を生成してもよい。図３では、生理検査データから第２のモデルＭ２ａを生成し、レポートデータ及びカンファレンスデータから第２のモデルＭ２ｂを生成した例を示している。
【００３７】
なお、検査データが画像データの場合には、画像に表された特徴を解析（機械学習）させることで、当該特徴を第２のデータとして出力する第２のモデルＭ２を生成してもよい。また、検査結果がバイタル等の計測値で表される場合には、数値の時系列的な変化率も考慮した形式で出力することが可能な第２のモデルＭ２を生成することが好ましい。
【００３８】
さらに、医用情報システム１では、第２の抽出機能１５３の動作に係るデータセットとして、上述した第２のモデルＭ２を用いて生成した検査結果ＤＢ４２０が用意される。検査結果ＤＢ４２０は、統合ＤＢ４１０に記憶された検査データ毎に、当該検査データを第２のモデルＭ２に入力することで得られた第２のデータを対応付けて保持する。
【００３９】
図４は、検査結果ＤＢ４２０のデータ構成の一例を示す図である。図４に示すように、検査結果ＤＢ４２０は、検査データＤ２に係る被検体の患者ＩＤと、検査データＤ２を第２のモデルＭ２に入力することで得られた第２のデータと、検査データＤ２を識別する検査結果ＩＤとを対応付けて記憶する。
【００４０】
なお、上述した第１のモデルＭ１及び第２のモデルＭ２は、予め生成されているものとするが、モデルを生成する装置は特に問わないものとする。例えば、第１のモデルＭ１及び第２のモデルＭ２は、統合データサーバ４００が生成してもよいし、モデル生成用の専用の装置が生成してもよい。また、第１のモデルＭ１、第２のモデルＭ２及び検査結果ＤＢ４２０は、医用情報処理装置１００の各々が記憶回路１２０等に保持する形態としてもよいし、統合データサーバ４００等の他の装置が保持する形態としてもよい。後者の場合、第１の抽出機能１５２及び第２の抽出機能１５３は、統合データサーバ４００等の他の装置が保持する第１のモデルＭ１や検査結果ＤＢ４２０を用いて抽出処理を実行する。
【００４１】
次に、図５を参照して、上述の第１のモデルＭ１及び検査結果ＤＢ４２０を用いた、第１の抽出機能１５２及び第２の抽出機能１５３の動作について説明する。ここで、図５は、第１の抽出機能１５２及び第２の抽出機能１５３の動作の一例を説明するための図である。
【００４２】
例えば、第１の抽出機能１５２は、新たに作成された被検体の診療データＤ１について、記載内容のチェック等がユーザから指示されると、診療データＤ１を第１のモデルＭ１に入力する。そして、第１の抽出機能１５２は、第１のモデルＭ１の出力結果を、診療データＤ１に記載された診療内容を表す第１のデータＤ１ａとして抽出（取得）する。図５では、診療データＤ１を構成するＳＯＡＰのカテゴリのうち、Ｏ及びＡのカテゴリ用に生成された第１のモデルＭ１ａ、Ｍ１ｂを用いることで、第１のデータＤ１ａ、Ｄ１ｂが抽出された例を示している。
【００４３】
一方、第２の抽出機能１５３は、検査結果ＤＢ４２０を参照し、第１の抽出機能１５２が抽出した第１のデータＤ１ａ、Ｄ１ｂに関連する第２のデータを含んだ被検体の検査データ（検査結果ＩＤ）を特定する。具体的には、第２の抽出機能１５３は、検査結果ＤＢ４２０を参照し、診療データＤ１に係る被検体の患者ＩＤを含んだデータエントリを絞り込む。次いで、第２の抽出機能１５３は、第１の抽出機能１５２が抽出した第１のデータＤ１ａ及びＤ１ｂと、絞り込んだデータエントリに含まれる第２のデータとを比較し、第１のデータＤ１ａ、Ｄ１ｂの各々に関連する第２のデータを含んだデータエントリの検査結果ＩＤを特定する。そして、第２の抽出機能１５３は、特定した検査結果ＩＤに対応する検査データを統合ＤＢ４１０から抽出する。
【００４４】
なお、第１のデータＤ１ａ、Ｄ１ｂと第２のデータとの間の関連度は、公知の技術を用いて算出することができる。例えば、第１のデータＤ１ａ、Ｄ１ｂと第２のデータとが共にベクトルデータで表される場合、両ベクトルのなす角度等に基づき両データ間の関連度を求めることができる。ここで、関連度は、第１のデータと第２のデータとの対応関係や相関関係の強さを示す指標であり、関連度が高いほど共通する記載内容や類似する記載内容が多く含まれることを意味する。つまり、第２の抽出機能１５３は、閾値等を用いて関連度がより高い第２のデータを特定することで、診療データＤ１に記載された診療内容の根拠となる検査結果が記載された検査データを特定する。そして、第２の抽出機能１５３は、特定した検査結果ＩＤを、処理対象となった診療データＤ１を識別するカルテＩＤと対応付けて保持する。なお、第２の抽出機能１５３は、関連度が閾値を上回る第２のデータが複数存在する場合、関連度が最大の第２のデータを一つ特定してもよいし、全ての第２のデータを特定してもよい。
【００４５】
このように、第１の抽出機能１５２は、第１のモデルＭ１を用いることで、処理対象なった被検体の診療データから診療内容を表す第１のデータを抽出する。また、第２の抽出機能１５３は、第１の抽出機能１５２が抽出した第１のデータに関連する検査結果を表した第２のデータを含む検査データ、つまり診療内容の根拠となる検査結果を含んだ検査データを抽出する。
【００４６】
図２に戻り、判定機能１５４は、第１の抽出機能１５２が抽出した第１のデータに含まれる項目と、第２の抽出機能１５３が特定した検査データの第２のデータに含まれる項目とを比較し、両項目間の対応関係を判定する。ここで、第１のデータ及び第２のデータに含まれる項目は、例えば、単語レベルや文脈レベルで区分された、診療内容や検査結果を表す文字列（数値も含む）を意味する。
【００４７】
具体的には、判定機能１５４は、第１のデータに含まれる項目と第２のデータに含まれる項目との間で、文字列が一致する項目や文字列が意味する内容が類似する項目が存在する場合、それらの両項目間で対応関係が成立すると判定する。また、判定機能１５４は、第１のデータに含まれる項目と第２のデータに含まれる項目との間で、対応関係の成立しない独立した項目が存在する場合、当該項目の対応関係が不成立と判定する。
【００４８】
例えば、判定機能１５４は、第２のデータに含まれた項目に対応する内容が第１のデータに含まれない場合、当該項目の対応関係が不成立と判定する。この場合、対応関係が不成立と判定された項目の検査結果が、診療データの診療内容に反映されていないことを意味する。また、例えば、判定機能１５４は、第１のデータに含まれた項目に対応する内容が第２のデータに含まれない場合、当該項目の対応関係が不成立と判定する。この場合、対応関係が不成立と判定された項目の診療内容が、検査データの検査結果に基づいていないことを意味する。なお、判定機能１５４は、第１のデータ及び第２のデータに含まれる全ての項目について対応関係を判定する構成としてもよいし、予め定められたフォーマットの文字列や用語等の項目について対応関係を判定する構成としてもよい。
【００４９】
表示制御機能１５５は、上述したデータ管理機能１５１、第１の抽出機能１５２、第２の抽出機能１５３及び判定機能１５４と協働し、医療従事者を支援するための各種画面をディスプレイ１４０に表示させる。
【００５０】
図６は、表示制御機能１５５によって表示される画面の一例を示す図である。図６に示すように、画面Ｇ１は、タイムライン表示領域Ｇ１１と、データ表示領域Ｇ１２とを有する。
【００５１】
タイムライン表示領域Ｇ１１には、被検体に対して行われた医療行為の各々がイベントとして時系列順に表示される。イベントは、検体検査システム２００により検体検査の取得イベント（検体検査）、放射線部門システム３００による生理検査データの取得イベント（生理検査）、放射線部門システム３００による画像データ、レポートデータ及びカンファレンスデータの取得イベント（画像検査、レポート、カンファ）、医用情報処理装置１００による診療データの取得イベント（カルテ）等を意味する。例えば、表示制御機能１５５は、患者に対する診療行為のイベントの内容を象徴的に表す図柄を、時系列順に配置して表示する。
【００５２】
表示制御機能１５５は、入力インタフェース１３０等を介して、タイムライン表示領域Ｇ１１に表示された何れかのイベントを指定する操作を受け付けると、統合データサーバ４００を参照し、指定されたイベントに対応する医用データを取得する。また、表示制御機能１５５は、タイムライン表示領域Ｇ１１に表示された表示期間のうちの何れかの時点又は期間を指定する操作を受け付けると、統合データサーバ４００を参照し、指定された時点又は期間で実施されたイベントに対応する医用データを取得する。そして、表示制御機能１５５は、取得した医用データをデータ表示領域Ｇ１２に表示させる。
【００５３】
例えば、医用データが画像データである場合、表示制御機能１５５は、当該画像データの内容をデータ表示領域Ｇ１２内に表示させる。また、例えば、医用データが検体検査データや生理検査データ等である場合、表示制御機能１５５は、指定された時点の計測値や、指定された期間に得られた各計測値、当該計測値の時系列的変化を示すグラフ等をデータ表示領域Ｇ１２に表示させる。
【００５４】
ここで、医用データの各々は、データ表示領域Ｇ１２において、データ表示領域Ｇ１２よりも小さな小領域（以下、パネル）内に表示される。これにより、データ表示領域Ｇ１２では、複数の医用データを同一の画面内に表示することが可能となっている。
【００５５】
なお、パネルの大きさは特に問わないものとする。例えば、パネルの大きさは、医用データのデータ種別毎に定めた固定値であってもよいし、表示する医用データの個数に応じて動的に変化させてもよい。また、データ表示領域Ｇ１２内に表示可能なパネルの個数も特に問わず、固定値であってもよいし、表示する医用データの個数等に応じて動的に増減させてもよい。また、パネルのレイアウトも特に問わず、固定のレイアウトであってもよいし、表示する医用データの個数等に応じて動的に変化させてもよい。
【００５６】
また、表示制御機能１５５は、データ管理機能１５１と協働することで、新たな診療データを作成するためのパネルをデータ表示領域Ｇ１２に表示させる。具体的には、表示制御機能１５５は、入力インタフェース１３０等を介して新たな診療データの作成が指示されると、診療内容を入力することが可能なパネルをデータ表示領域Ｇ１２に表示させる。
【００５７】
図７は、表示制御機能１５５によって表示される画面の一例を示す図であり、診療データの新規作成に係るパネルＰ１１をデータ表示領域Ｇ１２に表示した例を示している。ここで、パネルＰ１１には、入力インタフェース１３０等を介して文字を入力することが可能となっている。医用情報処理装置１００のユーザは、入力インタフェース１３０等を操作して、被検体に実施した診療内容をパネルＰ１１に入力する。なお、図６では、被検体の診療内容がＳＯＡＰ形式で入力された例を示している。
【００５８】
診療内容がパネルＰ１１に入力された後、入力インタフェース１３０等を介して記載内容のチェックや作成完了等の指示を受け付けると、データ管理機能１５１は、パネルＰ１１に入力された内容を新規の診療データとして記憶回路１２０に保存する。そして、例えば、第１の抽出機能１５２は、記憶回路１２０に新規の診療データが保存されると、当該診療データから第１のデータを抽出する。また、第１のデータの抽出に伴い、第２の抽出機能１５３及び判定機能１５４が動作する。
【００５９】
表示制御機能１５５は、第１の抽出機能１５２が第１のデータの抽出を行った診療データと、第２の抽出機能１５３が抽出した検査データとを同一の画面に表示させる。具体的には、表示制御機能１５５は、新たな診療データ（パネルＰ１１）が表示されたデータ表示領域Ｇ１２内に、第２の抽出機能１５３が抽出した検査データを表示させる。また、表示制御機能１５５は、判定機能１５４で対応関係が成立すると判定された項目同士を識別可能に表示させる。さらに、表示制御機能１５５は、判定機能１５４で対応関係が不成立と判定された項目を識別可能に表示させる。
【００６０】
図８は、表示制御機能１５５によって表示される画面の一例を示す図であり、図７のデータ表示領域Ｇ１２に第２の抽出機能１５３で抽出された検査データが表示された状態を示している。図８において、表示制御機能１５５は、第２の抽出機能１５３で抽出された検査データをパネルＰ２として、パネルＰ１１とともにデータ表示領域Ｇ１２に表示させて。つまり、表示制御機能１５５は、診療データと当該診療データの根拠となる検査結果が表された検査データとを同一の画面に表示させる。
【００６１】
また、表示制御機能１５５は、判定機能１５４により対応関係が成立すると判定されたパネルＰ１１中の項目Ａ１と、パネルＰ２中の項目Ａ１’とを識別可能な状態で表示させている。例えば、表示制御機能１５５は、対応関係にある項目同士を、同じ色や線種の枠線で囲うことで識別可能に表示させる。これにより、医用情報処理装置１００のユーザは、識別可能に表示された診療データと検査データとを確認することで、診療内容の根拠となる検査結果が、検査データ中のどこに存在するかを容易に把握することができる。
【００６２】
また、パネルＰ２中の項目Ａ２は、第２のデータに存在するが第１のデータには存在しない、対応関係が不成立と判定された項目である。そのため、表示制御機能１５５は、該当する項目Ａ２を識別可能に表示させる。具体的には、表示制御機能１５５は、該当する項目Ａ２にマークＭＫ１を付加して表示させることで、項目Ａ２を識別可能に強調表示させている。項目Ａ２にマークＭＫ１を付加することで、当該項目Ａ２を強調して表示させている。これにより、医用情報処理装置１００のユーザは、検査データに記載された項目のうち、診療データに反映されていない項目を容易に把握することができる。
【００６３】
また、図８では、表示制御機能１５５は、タイムライン表示領域Ｇ１１に表示されたイベントのうち、対応関係が不成立と判定された項目を含む検査データに対応するイベントを識別可能に表示させている。具体的には、表示制御機能１５５は、パネルＰ２に表示した検査データに対応するイベントに対しマークＭＫ２を付加して表示させることで、当該イベントを識別可能に強調表示させている。これにより、医用情報処理装置１００のユーザは、タイムライン表示領域Ｇ１１に表示されたイベントのうち、対応関係が不成立と判定された検査データに係るイベントがどれに該当するかを容易に把握することができる。
【００６４】
なお、図８では、第２のデータに含まれた項目に対応する内容が第１のデータに含まれない場合の表示例を説明したが、第１のデータに含まれた項目に対応する内容が第２のデータに含まれない場合も同様に表示が制御される。具体的には、表示制御機能１５５は、第１のデータに含まれた項目に対応する内容が第２のデータに含まれない場合、第１のデータに含まれた該当する項目を強調表示等することで、識別可能に表示させる。
【００６５】
また、表示制御機能１５５は、入力インタフェース１３０を介した操作等に応じて、対応関係が不成立と判定された項目や医療データに関するコメントを入力することが可能なユーザインタフェースをデータ表示領域Ｇ１２に表示させる。コメント入力を指示する操作方法は特に問わないものとするが、例えば、マークＭＫ１を項目Ａ２に関するコメントを入力するための操作子として機能させてもよい。この場合、表示制御機能１５５は、マークＭＫ１に対する操作を受け付けると、図９に示すように、項目Ａ２に関するコメントを入力することが可能な入力領域Ｗ１をデータ表示領域Ｇ１２に表示させる。
【００６６】
図９は、表示制御機能１５５によって表示される画面の一例を示す図であり、図８のマークＭＫ１が操作された場合の画面例を示している。図９において、入力領域Ｗ１には、入力インタフェース１３０等を介して文字を入力することが可能となっている。医用情報処理装置１００のユーザは、入力インタフェース１３０等を操作することで、項目Ａ２等に関するコメントを入力領域Ｗ１に入力することができる。
【００６７】
入力領域Ｗ１に入力する内容は特に問わず、任意の内容を入力することができる。例えば、項目Ａ２に関する検査結果を診療内容に記載しなかったことを説明する内容（以下、不採用理由）を、項目Ａ２に関するコメントとして入力してもよい。また、例えば、項目Ａ２の検査結果に対応する検査の実施を依頼する内容（以下、検査依頼）を、項目Ａ２に関するコメントとして入力してもよい。入力領域Ｗ１に入力されたコメントは例えばコメントデータとして、データ管理機能１５１により、項目Ａ２や当該項目Ａ２を含む診療データに対応付けて記憶される。例えば、検査依頼のコメントデータについては、検査データの生成元のシステムの担当者がその内容を確認することで、被検体の検査が実施される。
【００６８】
また、表示制御機能１５５は、コメントの目的毎に専用の入力領域Ｗ１を表示させてもよい。例えば、表示制御機能１５５は、マークＭＫ１に対する操作を受け付けると、不採用理由及び検査依頼の何れか一方の目的を選択可能な選択部品を表示させ、選択された目的に応じた入力領域を表示させてもよい。この場合、データ管理機能１５１は、選択された目的に応じて、コメントデータの管理方法を切り替えてもよい。例えば、検査依頼のコメント情報が入力された場合には、マークＭＫ１が付された検査データや項目に係る検査を行うシステム宛にコメントデータを送信してもよい。
【００６９】
なお、図９では、検査データに対しコメントを入力可能な構成を説明したが、これに限らず、診療データに対してもコメントを入力可能な構成としてもよい。例えば、表示制御機能１５５は、データ表示領域Ｇ１２に表示された診療データに対して所定の操作が行われると、図１０に示すように、その診療データに対応付けて入力領域Ｗ２を表示させる。
【００７０】
図１０は、表示制御機能１５５によって表示される画面の一例を示す図であり、図８のパネルＰ１１に対しコメント入力指示が行われた場合の画面例を示している。表示制御機能１５５は、パネルＰ１１に対し所定の操作を受け付け付けると、パネルＰ１１に対応付けて入力領域Ｗ２を表示させる。入力領域Ｗ２は、入力領域Ｗ１と同様、入力インタフェース１３０等を介して文字を入力することが可能となっている。医用情報処理装置１００のユーザは、入力インタフェース１３０等を操作することで、項目Ａ２や診療データ等に関するコメントを入力領域Ｗ１に入力することができる。
【００７１】
例えば、項目Ａ２に関する診療内容を診療データに反映しなかったことを説明する内容（不採用理由）を、項目Ａ２や診療データに関するコメントとして入力してもよい。入力領域Ｗ２に入力されたコメントはコメントデータとして、データ管理機能１５１により、例えば診療データに対応付けて記憶される。なお、診療データの作成完了が指示される前であれば、診療データの診療内容自体を編集することも可能である。
【００７２】
また、データ表示領域Ｇ１２に表示する診療データの個数は、一に限らず複数であってもよい。例えば、作成途中の診療データが複数存在する場合、表示制御機能１５５は、それら複数の診療データをデータ表示領域Ｇ１２に表示させてもよい。また、例えば、表示制御機能１５５は、タイムライン表示領域Ｇ１１から指定された過去の診療データを、作成中の診療データとともにデータ表示領域Ｇ１２に表示させてもよい。なお、過去の診療データについては、第１の抽出機能１５２、第２の抽出機能１５３及び判定機能１５４の処理対象から除外してもよいし、新規作成の診療データと同様に処理対象としてもよい。
【００７３】
図１１は、表示制御機能１５５によって表示される画面の一例を示す図であり、複数の診療データが表示された場合の画面例を示している。ここで、データ表示領域Ｇ１２の左方のパネルＰ１１、Ｐ１２、Ｐ１３、Ｐ１４には、互いに異なる時点の診療データが表示されている。また、データ表示領域Ｇ１２の右方のパネルＰ２、Ｐ３には、パネルＰ１１、Ｐ１２、Ｐ１３、Ｐ１４の診療データに基づき第２の抽出機能１５３で抽出された検査データが表示されている。なお、パネルＰ１１及びパネルＰ２の内容は図８と同様である。
【００７４】
図１１において、パネルＰ３には、パネルＰ１２〜Ｐ１４の診療データの診療内容に関連する３つの検査データ（検体検査）の内容が表示されている。具体的には、パネルＰ３に表示された項目Ａ３’は、パネルＰ１２の診療データに含まれた項目Ａ３に対応する。また、パネルＰ３に表示された項目Ａ４’は、パネルＰ１３の診療データに含まれた項目Ａ４に対応する。また、パネルＰ３に表示された項目Ａ５’は、パネルＰ１４の診療データに含まれた項目Ａ５に対応する。ここで、表示制御機能１５５は、図７と同様に、対応関係が成立した両項目間を識別可能に表示させている。
【００７５】
なお、図１０では、パネルＰ１２〜Ｐ１４の診療データに関連する検査データが、同種の検査結果（検体検査、血液検査）示すものであるため、同一のパネル内に表示する形態としたが、表示形態はこれに限らないものとする。例えば、検査データはグラフ形式等の表示形態で同一パネル内に表示させてもよい。また、例えば、検査データ毎に個別にパネル表示させてもよい。
【００７６】
また、例えば検査データが計測値等の数値データである場合、表示制御機能１５５は、検査データの検査結果が表す計測値が、当該計測値の基準範囲の何れに属するかに応じて、検査データの表示形態を切り替えてもよい。ここで、基準範囲は、正常／異常の判定や重篤度の判別等、被検体の容態（又は状態）を判別するための指標であり、検査種別や計測値毎に予め設定されているものとする。
【００７７】
例えば、表示制御機能１５５は、計測値の基準範囲と、検査データの検査結果が表す計測値とを比較することで被検体の容態の一例である重篤度を判別し、判別した重篤度に応じて、検査データの表示形態を変更する。ここで、表示形態の変更方法は特に問わず、種々の方法を採用することが可能である。例えば、表示制御機能１５５は、重篤度等の被検体の状態に応じて、検査データの表示色やパネルの色を切り替えてもよい。また、例えば、表示制御機能１５５は、被検体の状態を表すアイコンやメッセージを、検査データに対応付けて表示させてもよい。これにより、医用情報処理装置１００のユーザは、データ表示領域Ｇ１２に表示された検査データを見ることで、被検体がどのような状態にあるかを容易に把握することができる。
【００７８】
次に、図１２を参照して、上述した医用情報処理装置１００の動作例について説明する。図１２は、医用情報処理装置１００が実行する処理の一例を示すフローチャートである。なお、本処理の前提として、被検体の患者ＩＤが入力された後、図６に示す画面がディスプレイ１４０に表示されているものとする（ステップＳ１１）。また、本処理では、診療データが新たに作成される場合の動作例について説明する。
【００７９】
表示制御機能１５５は、新たな診療データの作成が指示されるまで待機する（ステップＳ１２；Ｎｏ）。新たな診療データの作成指示を受け付けると（ステップＳ１２；Ｙｅｓ）、表示制御機能１５５は、データ管理機能１５１と協働することで、診療内容を入力することが可能な領域（パネル）をデータ表示領域Ｇ１２に表示させる（ステップＳ１３）。なお、医用情報処理装置１００のユーザは、診療データの作成を指示するまでの間、タイムライン表示領域Ｇ１１を介し、所望の医用データをデータ表示領域Ｇ１２に表示させることもできる。
【００８０】
続いて、データ管理機能１５１は、入力インタフェース１３０等を介し、新たに入力された診療内容のチェック指示を受け付けると（ステップＳ１４；Ｙｅｓ）、入力された診療内容を新たな診療データとして記憶回路１２０に記憶する。なお、チェックが指示されない場合には（ステップＳ１４；Ｎｏ）、ステップＳ２５に移行する。
【００８１】
第１の抽出機能１５２は、記憶回路１２０に新たな診療データが記憶されると、当該診療データから診療内容を表す第１のデータを抽出する（ステップＳ１５）。また、第２の抽出機能１５３は、統合データサーバ４００が管理する被検体の診療データの中から、ステップＳ１５で抽出された第１のデータに関連する検査内容を表す第２のデータを含んだ診療データを抽出する（ステップＳ１６）。次いで、判定機能１５４は、第１のデータに含まれる項目と、第２のデータに含まれる項目とを比較することで、両項目間の対応関係を判定する（ステップＳ１７）。
【００８２】
表示制御機能１５５は、ステップＳ１５〜Ｓ１７の処理結果に基づき、検査データをデータ表示領域Ｇ１２に表示させる。具体的には、表示制御機能１５５は、新たに作成された診療データと、第２の抽出機能１５３が抽出した検査データとをデータ表示領域Ｇ１２に表示させる（ステップＳ１８）。また、表示制御機能１５５は、ステップＳ１７で対応関係が成立すると判定された項目同士を識別可能に表示させる（ステップＳ１９）。
【００８３】
続いて、表示制御機能１５５は、ステップＳ１７の判定処理で、対応関係が不成立と判定された項目が存在するか否かを判定する（ステップＳ２０）。対応関係が不成立と判定された項目が存在する場合（ステップＳ２０；Ｙｅｓ）、表示制御機能１５５は、不成立と判定された項目を強調して表示させ（ステップＳ２１）、ステップＳ２２に移行する。なお、対応関係が不成立と判定された項目が存在しない場合には（ステップＳ２０；Ｎｏ）、ステップＳ２５に移行する。
【００８４】
続いて、表示制御機能１５５は、入力インタフェース１３０等を介し、コメント入力が指示されたか否かを判定する（ステップＳ２２）。表示制御機能１５５は、コメント入力の指示を受け付けると（ステップＳ２２；Ｙｅｓ）、コメント入力用の領域をデータ表示領域Ｇ１２に表示させる（ステップＳ２３）。そして、コメント入力完了の指示を受け付けると、データ管理機能１５１は、入力領域に入力された内容をコメントデータとして記憶し（ステップＳ２４）、ステップＳ２５に移行する。なお、コメント入力の指示が行われない場合には（ステップＳ２２；Ｎｏ）、ステップＳ２５に直ちに移行する。
【００８５】
続いて、データ管理機能１５１は、ユーザから診療データの作成完了が指示されたか否かを判定する（ステップＳ２５）。作成完了が指示されない場合（ステップＳ２５；Ｎｏ）、データ管理機能１５１は、ステップＳ１５に処理を戻すことで、診療データの作成を継続させる。この場合、診療データの状態は作成中となるため、医用情報処理装置１００のユーザは、作成中の診療データに対し、対応関係が不成立と判定された項目に関する記載等を直接編集することもできる。
【００８６】
一方、ユーザから作成完了が指示された場合（ステップＳ２５；Ｙｅｓ）、データ管理機能１５１は、作成が完了した診療データを記憶回路１２０に記憶し、当該診療データを統合データサーバ４００に送信することで統合ＤＢ４１０に記憶させる（ステップＳ２６）。
【００８７】
上述したように、本実施形態では、被検体の診療データに記載された診療内容に関連する検査結果が記載された検査データを抽出し、診療データと抽出した検査データとを同一の画面に表示させる。また、本実施形態では、診療データと検査データとに含まれる項目の対応関係を判定し、両データの間で対応関係にある項目同士を識別可能に表示させる。これにより、医用情報処理装置１００のユーザは、診療データに記載された診療内容の根拠となる検査結果を含んだ検査データを容易に把握することができるとともに、診療内容の根拠となる検査結果が、検査データ中のどこに存在するかを容易に把握することができる。したがって、本実施形態では、診療データの作成及び解読に係る利便性を向上させることができる。
【００８８】
また、本実施形態では、診療データと検査データとに含まれる項目で、対応関係の成立しない独立した項目が存在する場合、当該項目を識別可能に表示させる。これにより、本実施形態では、診療データに検査結果の記載もれがある場合や、根拠の不十分な診療内容が診療データに記載されている場合に、該当する項目をユーザに把握させることができるため、不備のある診療データが作成されてしまうことを防止することができる。
【００８９】
また、本実施形態では、診療データと検査データとの間に、対応関係が不成立と判定された項目が存在する場合、当該項目に関するコメントを入力可能なユーザインタフェースを提供し、入力されたコメント内容を対応付けて保存する。これにより、医用情報処理装置１００のユーザは、診療データに検査結果を反映しなかった理由や、根拠の不十分な診療内容を診療データに記載した理由を、コメントとして残すことができる。また、医用情報処理装置１００のユーザは、例えば、検査データに記載された検査結果の精度に疑義があるため、診療内容に反映しなかったような場合、医用情報処理装置１００が提供するインタフェースを介して再検査を依頼することができる。したがって、本実施形態では、診療データの作成及び解読に係る利便性を向上させることができる。
【００９０】
なお、上述した実施形態は、医用情報処理装置１００が有する構成又は機能の一部を変更することで、適宜に変形して実施することも可能である。そこで、以下では、上述した実施形態に係るいくつかの変形例を説明する。なお、以下では、上述した実施形態と異なる点を主に説明することとし、既に説明した内容と共通する点については詳細な説明を省略する。また、以下で説明する変形例は、個別に実施されてもよいし、適宜組み合わせて実施されてもよい。
【００９１】
（変形例１）
上述した実施形態では、判定機能１５４の判定結果に基づき、診療データに記載された診療内容の不備（記載もれ、根拠不十分）を報知する形態を説明したが、判定機能１５４の判定結果は他の用途に用いてもよい。例えば、診療データの作成に係る習熟度や信頼度を判断するため、判定機能１５４で対応関係が不成立と判定された項目の個数を記録してもよい。
【００９２】
具体的には、データ管理機能１５１は、新たな診療データが作成される度に、当該診療データについて対応関係が不成立と判定された項目の個数を、診療データの作成者（医療従事者）毎に累計する。累計された値は、例えば、作成者の医療従事者ＩＤと対応付けて、統合データサーバ４００の記憶回路等に記憶される。
【００９３】
これにより、本変形例では、累計された値を参照することで、診療データの作成に係る各医療従事者の習熟度や信頼度を判断することができる。なお、データ管理機能１５１は、上述した累計値とともに、作成された診療データの総数や、コメントの入力回数等も記録する形態としてもよい。
【００９４】
（変形例２）
上述した実施形態では、第１の抽出機能１５２が第１のデータの抽出を行った診療データを表示する画面に、第２の抽出機能１５３が抽出した検査データを表示する形態を説明した。しかしながら、第２の抽出機能１５３が抽出した検査データの個数又は情報量によっては、全ての検査データを画面内に表示することができない場合がある。
【００９５】
そこで、表示制御機能１５５は、上述の実施形態で説明した画面例に代えて、例えば図１３及び図１４に示す画面を表示させてもよい。ここで、図１３及び図１４は、本変形例の表示制御機能１５５によって表示される画面の一例を示す図である。
【００９６】
図１３に示すように、画面Ｇ２は、第１の実施形態で説明した画面Ｇ１と同様にタイムライン表示領域Ｇ１１と、データ表示領域Ｇ１２とを有する。また、データ表示領域Ｇ１２には、第１の実施形態と同様に、診療データが表示される。なお、図１３では、一の診療データをパネルＰ１１に表示した例を示しているが、図１１で説明したように、複数の診療データを表示することも可能である。
【００９７】
また、データ表示領域Ｇ１２には、第２の抽出機能１５３が抽出した検査データを表示するための検査データ表示領域Ｇ２１が設けられている。具体的には、検査データ表示領域Ｇ２１には、第２の抽出機能１５３で抽出された検査データの各々がパネル表示される。図１３では、６つの検査データが抽出された例を示しており、検査データの各々がパネルＰ４１〜Ｐ４６として並べて表示される。なお、図１３では、パネルＰ４１〜Ｐ４６のうち、パネルＰ４１〜Ｐ４４までが表示された状態を示している、残りのパネルＰ４５、４６は非表示の状態となっている。以下、パネルＰ４１〜Ｐ４６を総称してパネルＰ４ともいう。
【００９８】
ここで、検査データ表示領域Ｇ２１には、スクロールバーＧ２１ａが設けられている。スクロールバーＧ２１ａは、パネルＰ４の配列方向にスクロール操作することが可能となっており、ユーザ操作（スクロール操作）に応じて検査データ表示領域Ｇ２１内のパネルＰ４を移動させる。例えば、図１３の検査データ表示領域Ｇ２１において、スクロールバーＧ２１ａが画面下方向にスクロール操作されると、検査データ表示領域Ｇ２１内に配列されたパネルＰ４１〜Ｐ４６が画面上方向に移動される。これにより、医用情報処理装置１００のユーザは、図１４に示すように、図１３で非表示となっていたパネルＰ４５、Ｐ４６を、検査データ表示領域Ｇ２１内に表示させることができる。
【００９９】
また、表示制御機能１５５は、上述した実施形態と同様に、判定機能１５４により対応関係が成立すると判定された診療データ及び検査データ中の項目を識別可能に表示させる。例えば、図１３及び図１４では、表示制御機能１５５は、判定機能１５４で対応関係が成立すると判定されたパネルＰ１１中の項目Ａ１１と、パネルＰ４１〜Ｐ４６中の項目Ａ１１’とを識別可能に表示させている。これにより、本変形例に係る医用情報処理装置１００では、上述した実施形態と同様の効果を奏することができる。これにより、医用情報処理装置１００のユーザは、識別可能に表示された診療データと検査データとを確認することで、診療内容の根拠となる検査結果が、検査データ中のどこに存在するかを容易に把握することができる。
【０１００】
また、表示制御機能１５５は、上述した実施形態と同様に、判定機能１５４により対応関係が不成立と判定された項目を識別可能に表示させる。例えば、図１３及び図１４では、表示制御機能１５５は、判定機能１５４で対応関係が不成立と判定されたパネルＰ２２、Ｐ２４中の項目Ａ１２、Ａ１３にマークＭＫ１を付加して表示させている。これにより、本変形例に係る医用情報処理装置１００では、上述した実施形態と同様の効果を奏することができる。これにより、医用情報処理装置１００のユーザは、検査データに記載された項目のうち、診療データに反映されていない項目を容易に把握することができる。
【０１０１】
また、データ表示領域Ｇ１２には、第２の抽出機能１５３が抽出した検査データの表示を指示するための操作子が表示される。図１３及び図１４では、検査データ表示領域Ｇ２１の右方に、操作子の一例である操作パネルＰ５１〜Ｐ５６を表示させた例を示している。以下、操作パネルＰ５１〜Ｐ５６を総称して操作パネルＰ５とも表記する。
【０１０２】
操作パネルＰ５は、第２の抽出機能１５３で抽出された検査データ毎に設けられる。操作パネルＰ５には、対応する検査データを識別可能な情報が表示される。例えば、操作パネルＰ５には、検査データの作成日、検査データの種別、データ名等の情報が表示される。ここで、操作パネルＰ５１〜Ｐ５６の各々は、パネルＰ４１〜Ｐ４６で表された検査データの各々に対応する。一例として、操作パネルＰ５１には、対応する検査データ（パネルＰ４１の検査データ）の作成日の他、その検査データのデータ名「検査Ｘ１」が表示されている。これにより、医用情報処理装置１００のユーザは、操作パネルＰ５の各々が、どの検査データの表示を指示するものかを容易に把握することができる。
【０１０３】
また、表示制御機能１５５は、第２の抽出機能１５３が抽出した検査データの中に、対応関係が不成立と判定された項目が含まれる場合、当該検査データに対応する操作パネルＰ５に、不成立と判定された項目が存在することを示す情報を付加して表示させる。上述したように、図１３、図１４の例では、パネルＰ４３及びＰ４５に係る検査データの中に、対応関係が不成立と判定された項目Ａ１２、Ａ１３が含まれる。そのため、表示制御機能１５５は、パネルＰ４３及びＰ４５の検査データに対応する操作パネルＰ５３及びＰ５５に対し、不成立と判定された項目が存在することを示すマークＭＫ３を付加して表示させている。これにより、医用情報処理装置１００のユーザは、診療データに反映されていない項目を有する検査データの操作パネルＰ５を容易に把握することができる。
【０１０４】
表示制御機能１５５は、操作パネルＰ５に対する選択操作を受け付けると、選択された操作パネルＰ５に対応する検査データを、検査データ表示領域Ｇ２１内に表示させる。ここで、操作パネルＰ５を介した検査データの表示方法は特に問わず、種々の表示方法を用いることができる。
【０１０５】
例えば、図１３で示したように、第２の抽出機能１５３で抽出された検査データが、スクロール可能な形態で予め検査データ表示領域Ｇ２１に表示されている場合、以下の表示方法の何れか又は全てを用いてもよう。一例として、表示制御機能１５５は、選択された操作パネルＰ５に対応する検査データのパネルＰ４が検査データ表示領域Ｇ２１内に表示されるよう自動でスクロールさせてもよい。この場合、表示制御機能１５５は、選択された操作パネルＰ５に対応する検査データのパネルＰ４が、検査データ表示領域Ｇ２１の中央に位置するよう自動でスクロールさせてもよい。また、表示制御機能１５５は、選択された操作パネルＰ５に対応する検査データのパネルＰ４を識別可能に表示させてもよい。
【０１０６】
また、他の表示方法として、表示制御機能１５５は、図１５に示すように、選択された操作パネルＰ５に対応する検査データのパネルＰ４のみを検査データ表示領域Ｇ２１内に表示させてもよい。ここで、図１５は、本変形例の表示制御機能１５５によって表示される画面の一例を示す図であり、操作パネルＰ５３が選択された場合の表示例を示している。
【０１０７】
図１５に示すように、操作パネルＰ５３の選択を受け付けると、表示制御機能１５５は、この操作パネルＰ５３に対応する検査データを表したパネルＰ４３を、検査データ表示領域Ｇ２１に表示させる。この場合、例えば、操作パネルＰ５をトグルボタン等とすることで、選択と解除とを交互に切り替え可能な構成としてもよい。
【０１０８】
なお、図１５の表示方法の場合、操作パネルＰ５を介して選択可能な検査データの個数は一個に限らず複数個であってもよい。例えば、操作パネルＰ５３、Ｐ５５が選択された場合には、表示制御機能１５５は、これらの操作パネルＰ５３、Ｐ５５に対応する検査データのパネルＰ４３、Ｐ４５を、検査データ表示領域Ｇ２１内に並べて表示させる。ここで、パネルＰ４の配列順序は、作成日の順であってもよいし、操作パネルＰ５で選択された検査データの順であってもよい。
【０１０９】
以上のように、本変形例によれば、第２の抽出機能１５３が抽出した検査データの全てを、同一の画面内に一度に表示させることができないような場合であっても、非表示分の検査データを簡易な操作で表示させることができる。したがって、本変形例では、診療データの作成及び解読に係る利便性を向上させることができる。
【０１１０】
（変形例３）
上述した実施形態では、医用情報処理装置１００が、データ管理機能１５１、第１の抽出機能１５２、第２の抽出機能１５３、判定機能１５４及び表示制御機能１５５を備える形態としたが、これら機能の一部又は全てを、医用情報処理装置１００以外の装置が具備する形態としてもよい。
【０１１１】
例えば、統合データサーバ４００が、上述した各機能の一部又は全てを備える形態としてもよい。この場合、統合データサーバ４００は、医用情報処理装置として機能し、例えば、Ｗｅｂサービス等の形態で上述した各種の画面を医用情報処理装置１００のディスプレイ１４０に表示させる。また、医用情報処理装置は一のコンピュータ装置に限らず、ネットワーク接続された複数のコンピュータ装置により実現されてもよい。
【０１１２】
なお、上述した各実施形態では、本明細書におけるデータ管理部、第１の抽出部、第２の抽出部、判定部及び表示制御部を、それぞれ、処理回路１５０のデータ管理機能１５１、第１の抽出機能１５２、第２の抽出機能１５３、判定機能１５４及び表示制御機能１５５によって実現する場合の例を説明したが、実施形態はこれに限られない。例えば、本明細書におけるデータ管理部、第１の抽出部、第２の抽出部、判定部及び表示制御部は、実施形態で述べたデータ管理機能１５１、第１の抽出機能１５２、第２の抽出機能１５３、判定機能１５４及び表示制御機能１５５によって実現する他にも、ハードウェアのみ、又は、ハードウェアとソフトウェアとの混合によって同機能を実現するものであっても構わない。
【０１１３】
また、上述した説明で用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサは、記憶回路１２０に保存されたプログラムを読み出して実行することで、機能を実現する。なお、記憶回路１２０にプログラムを保存する代わりに、プロセッサの回路内にプログラムを直接組み込むように構成しても構わない。この場合は、プロセッサは回路内に組み込まれたプログラムを読み出して実行することで機能を実現する。また、本実施形態のプロセッサは、単一の回路として構成される場合に限らず、複数の独立した回路を組み合わせて一つのプロセッサとして構成され、その機能を実現するようにしてもよい。
【０１１４】
ここで、プロセッサによって実行されるプログラムは、ＲＯＭ（Read  Only  Memory）や記憶回路等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、上述した各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【０１１５】
以上説明した少なくとも１つの実施形態及び変形例によれば、診療データに記載された診療内容と、当該診療内容の根拠となる検査結果との対応関係を容易に把握することができる。
【０１１６】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１１７】
１  医用情報処理システム
１００  医用情報処理装置
１５１  データ管理機能
１５２  第１の抽出機能
１５３  第２の抽出機能
１５４  判定機能
１５５  表示制御機能
【図１】
2020173801.tif 000003
【図２】
2020173801.tif 000004
【図３】
2020173801.tif 000005
【図４】
2020173801.tif 000006
【図５】
2020173801.tif 000007
【図６】
2020173801.tif 000008
【図７】
2020173801.tif 000009
【図８】
2020173801.tif 000010
【図９】
2020173801.tif 000011
【図１０】
2020173801.tif 000012
【図１１】
2020173801.tif 000013
【図１２】
2020173801.tif 000014
【図１３】
2020173801.tif 000015
【図１４】
2020173801.tif 000016
【図１５】
2020173801.tif 000017